(57)【特許請求の範囲】
【請求項１】
回路基板と、
前記回路基板の表面側中央部に配設された複数の発光素子と、
前記回路基板の裏面側周縁部に配設された発熱素子と、を備え、
前記回路基板の表面側周縁部には、接地電位に接続された面状のアースパターンと、線状の配線パターンとからなる第１の導電層が形成され、
前記回路基板の表面側中央部には、前記接地電位に接続された面状のアースパターンと、線状の配線パターンとからなる第２の導電層が形成され、
前記第１の導電層と前記第２の導電層との間には、導電層が形成されていない前記回路基板の基材と絶縁体とからなる隔絶部が連続して形成され、
前記回路基板の裏面の略全面には、前記接地電位に接続された面状のアースパターンと、線状の配線パターンとが形成されている
ことを特徴とする表示用基板。
【請求項２】
請求項１に記載の表示用基板を備えていることを特徴とする遊技機。
【発明の詳細な説明】
【技術分野】
【０００１】
本発明は、パチンコ店等の遊技場に設置されるスロットマシン等のメダル遊技機、パチンコ遊技機あるいは雀球遊技機、アレンジボール遊技機等の弾球遊技機などの遊技機において文字、数字あるいは記号等を表示する際に用いて好適な表示用基板及びこの表示用基板を備えた遊技機に関する。
【背景技術】
【０００２】
従来の遊技機で用いられる表示用基板には、表面にカラー発光ダイオード（ＬＥＤ：Ｌｉｇｈｔ  Ｅｍｉｔｔｅｄ  Ｄｉｏｄｅ）及び赤色ＬＥＤが配置される一方、表面に配置された上記カラーＬＥＤ及び上記赤色ＬＥＤの配置位置にほぼ対応する裏面の位置に上記カラーＬＥＤ及び上記赤色ＬＥＤのそれぞれに流れる電流を制御するための電流制限抵抗が配置されたものがある（例えば、特許文献１参照）。
【０００３】
【特許文献１】特開２００６−１４１６８３号公報（特許請求の範囲、「００４７」〜「００５５」、図３、図４）
【発明の開示】
【発明が解決しようとする課題】
【０００４】
上記した従来の表示用基板では、表面に配置されたカラーＬＥＤ等の配置位置にほぼ対応する裏面の位置に上記カラーＬＥＤ等のそれぞれの電流制限抵抗が配置されている。したがって、各電流制限抵抗が発する熱が表示用基板を介して表面の対応する位置に配置されたカラーＬＥＤ等に伝達されるため、カラーＬＥＤ等の発光効率が伝達された熱によって低下してしまう。これにより、カラーＬＥＤ等が仕様通りの性能を発揮することができず、良好な演出効果が得られないという課題があった。また、カラーＬＥＤ等は、常に熱にさらされているため、性能が劣化しやすく、寿命が短くなってしまうという課題があった。
【０００５】
本発明は、上述した事情に鑑みてなされたものであり、発熱素子から発生する熱が発光素子に伝達され難く、発光素子の、発熱素子の熱による性能劣化や寿命の短縮を防止することができる表示用基板及び遊技機を提供することを目的とする。
【課題を解決するための手段】
【０００６】
斯かる課題を解決するために請求項１に記載の発明は、回路基板と、前記回路基板の表面側中央部に配設された複数の発光素子と、前記回路基板の裏面側周縁部に配設された発熱素子と、を備え、前記回路基板の表面側周縁部には、接地電位に接続された面状のアースパターンと、線状の配線パターンとからなる第１の導電層が形成され、前記回路基板の表面側中央部には、前記接地電位に接続された面状のアースパターンと、線状の配線パターンとからなる第２の導電層が形成され、前記第１の導電層と前記第２の導電層との間には、導電層が形成されていない前記回路基板の基材と絶縁体とからなる隔絶部が連続して形成され、前記回路基板の裏面の略全面には、前記接地電位に接続された面状のアースパターンと、線状の配線パターンとが形成されていることを特徴とする。
【０００７】
請求項２に記載の発明は、請求項１に記載の表示用基板を備えていることを特徴とする遊技機である。
【発明の効果】
【０００８】
請求項１に記載の発明に係る表示用基板によれば、回路基板と、前記回路基板の表面側中央部に配設された複数の発光素子と、前記回路基板の裏面側周縁部に配設された発熱素子と、を備え、前記回路基板の表面側周縁部には、接地電位に接続された面状のアースパターンと、線状の配線パターンとからなる第１の導電層が形成され、前記回路基板の表面側中央部には、前記接地電位に接続された面状のアースパターンと、線状の配線パターンとからなる第２の導電層が形成され、前記第１の導電層と前記第２の導電層との間には、導電層が形成されていない前記回路基板の基材と絶縁体とからなる隔絶部が連続して形成され、前記回路基板の裏面の略全面には、前記接地電位に接続された面状のアースパターンと、線状の配線パターンとが形成されているので、回路基板の裏面側周縁部に配設された発熱素子が発生する熱を回路基板の裏面の略全面に形成された面状のアースパターンにより、効果的に放熱することができる。また、発熱素子から回路基板の厚さ方向に表面側周縁部に伝達される熱は、第１の導電層と第２の導電層とを隔絶する隔絶部の作用により、表面側中央部に配設されている発光素子に伝達され難いので、発光素子の、発熱素子の熱による性能劣化や寿命の短縮を防止し得る表示用基板を提供することができる。
【０００９】
なお、発光素子としては、例えば、小型、かつ、安価で演出効果の高いカラー発光ダイオードを使用することができ、発熱素子としては、例えば、発光素子に流れる電流を制御するための電流制限抵抗器を使用することができる。
【００１０】
請求項２に記載の発明によれば、遊技機が、請求項１に記載の表示用基板を備えているので、発光素子の、発熱素子の熱による性能劣化や寿命の短縮を防止し得る表示用基板を備えた遊技機を提供することができる。
【発明を実施するための最良の形態】
【００１１】
以下、本発明の一実施形態について図面を参照して説明する。図１は本発明の表示用基板を備えた遊技機の一例として回胴式遊技機を示す正面図、図２は図１の回胴式遊技装置の内部構成を示す正面図である。図３は回胴遊技機の制御システムを表したブロック図である。
【００１２】
これらの図に示すように、回胴式遊技装置であるスロットマシン１は、遊技者側に面する、いわゆるフロントマスクを構成する前扉３が略矩形状の箱体である筐体２の開口側に対し、蝶番機構２ａにより左側端部側を回動支点として開閉可能に取り付けられている。前扉３は、上部パネル部３Ａ、中部パネル部３Ｂ、操作卓部３Ｃ及び下部パネル部３Ｄに概ね分けられ、これらは化粧板として視覚効果を高めてデザインされた硬質プラスチックにより一体的に形成されている。
【００１３】
筐体２の内部には、スロットマシン１全体の動作を統括制御する主制御基板３００と、３個の円筒状のメインリール５２１、５２２、５２３を備える回胴装置５２０と、スロットマシン１の各部に電力を供給するための電源装置５３０と、ゲームの入賞に応じてメダルの払い出しを行うホッパ装置６００と、ホッパ装置６００から溢れたメダルを収納する補助貯留部５４０等とが設けられている。ここで、回胴装置５２０は、主制御基板３００からの回転駆動開始制御信号や回転駆動停止制御信号等を受ける図３に示す回胴装置基板４２０によって各メインリール５２１、５２２、５２３の回転や回転停止が制御されるようになっている。
【００１４】
また、電源装置５３０の側面には、いわゆる配電盤に相当する図３に示す電源装置基板４３０が設けられている。この電源装置基板４３０には、電源装置５３０で発生される各種電源電圧をホッパ装置６００等の各所に配電する配電回路が形成されており、かかる配電回路からスロットマシン１の動作に必要なシステム電源を供給する。また、電源装置基板４３０は、主制御基板３００からのメダルの払い出しを行わせるべき旨の指令を受けると、ホッパ装置６００を制御してメダルの払い出しを行わせる。
【００１５】
また、前扉３は、筐体２の開口を閉塞する位置で、操作卓部３Ｃに設けられている鍵穴４を有する図示しない施錠装置によりロックされ、ホールスタッフ等が主制御基板３００上の各電子素子等の状態の確認を含むメンテナンス作業や出玉管理作業等を行う場合、前扉３の鍵穴４に専用鍵を差し込んでそのロックを解除すると、前扉３が開放されるようになっている。
【００１６】
前扉３の上部パネル部３Ａには、遊技に伴った演出を行う演出表示部１００が取り付けられている。演出表示部１００には、例えばゲームの進行に応じて文字、数字あるいは記号等を表示する３つの７セグメント型の照明演出装置１０１ａ、１０１ｂ、１０１ｃと、この照明演出装置１０１ａ、１０１ｂ、１０１ｃを覆う表示パネル１０２とが設けられている。また、演出表示部１００には、意匠的に遊技者の視覚に訴える形状及び色彩、模様、絵柄等を施してデザイン設計された複数の演出用ランプ１０４〜１０８と、演出用の効果音を発するスピーカ１０９ａ、１１０ａを有する放音部１０９、１１０が設けられている。
【００１７】
そして、前扉３の上部パネル部３Ａの背面に設けられているサブ制御基板４００に、主制御基板３００から演出開始を指示する制御信号が供給されると、そのサブ制御基板４００から図３に示す照明演出制御基板４５０に制御コマンドが送信され、照明演出制御基板４５０の制御により照明演出装置１０１ａ、１０１ｂ、１０１ｃによる文字、数字あるいは記号等の表示と、演出用ランプ１０４〜１０８による点滅又は点灯によっての演出と、放音部１０９、１１０からの効果音による演出とが行われるようになっている。
【００１８】
前扉３の中部パネル部３Ｂには、回胴装置５２０の各メインリール５２１、５２２、５２３の確認を行える確認窓２０１を有するパネル２０２を備えたメイン演出部２００が設けられている。また、中部パネル部３Ｂの両側には、高輝度発光ダイオードを内蔵したサイドランプ５ａ、５ｂが配置されている。これらのサイドランプ５ａ、５ｂは、リーチや大当たり等の際に点灯又は点滅して遊技者の視覚に訴える演出を行うものである。
【００１９】
前扉３の操作卓部３Ｃには、ゲームに使用するメダルを投入するための投入口を有するメダル投入部６、メダルをベットするベットボタン７、ゲームの開始を指示するスタートレバー８、回胴装置５２０のメインリール５２１、５２２、５２３をストップさせるストップボタン９ａ、９ｂ、９ｃ等が設けられている。
【００２０】
ここで、現状のスロットマシン１では、１ゲームに必要とされるメダルが、例えば３枚となっているため、メダル投入部６から３枚を超えてメダルが連続投入されると、最大５０枚までクレジットされるようになっている。
【００２１】
ベットボタン７は、スロットマシン１のゲームに賭けるメダルの枚数を提示するための押圧式の操作スイッチであり、ＭＡＸベットボタンと呼ばれている。すなわち、メダルがクレジットされているとき、ゲーム開始時にベットボタン７を操作すると、そのクレジットされているメダルのうち３枚がベットされるようになっている。
【００２２】
スタートレバー８は、回胴装置５２０のメインリール５２１、５２２、５２３を一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。
【００２３】
ストップボタン９ａ、９ｂ、９ｃは、回胴装置５２０の各メインリール５２１、５２２、５２３の回転停止を個別に指示するための押圧式スイッチであり、各メインリール５２１、５２２、５２３の配列に対応してそれぞれ並設されている。
【００２４】
また、前扉３の操作卓部３Ｃの背面には、操作卓部３Ｃのベットボタン７、スタートレバー８、ストップボタン９ａ、９ｂ、９ｃ等の各種メインスイッチが電気的に接続された中央表示制御基板４１０が設けられており、これらのスイッチの出力信号が中央表示制御基板４１０から主制御基板３００に転送されるようになっている。
【００２５】
前扉３の下部パネル部３Ｄには、スロットマシン１のモデルタイプ等を遊技者へ認識させるため、例えば登場キャラクターの絵等を表示するパネル１０が設けられている。
【００２６】
下部パネル部３Ｄの下方には、入賞時等においてメダルを排出するメダル排出口１２を有する受皿ユニット１１と、後述のスピーカ１３ａ、１４ａを内蔵しゲームの進行に応じて演出効果音を発生させる演出効果音部１３、１４と、遊技者の喫煙の用に供するための灰皿１５等とがそれぞれ配設されている。
【００２７】
また、前扉３の下部パネル部３Ｄの背面には、メダル投入部６より投入される投入物を正規のメダルか異物かを判別して振り分けるセレクト機構５００と、このセレクト機構５００で振り分けられたメダルを筐体２内に設けられているホッパ装置６００へ案内するガイド部材５０１と、セレクト機構５００で振り分けられた異物をメダル排出口１２へ案内するガイド部材５０２と、ホッパ装置６００のメダル排出スリット６３６から排出されたメダルを受皿ユニット１１のメダル排出口１２側にガイドするガイド部材５０３とが設けられている。また、下部パネル部３Ｄの下方の背面には、上述したスピーカ１３ａ、１４ａが設けられている。
【００２８】
図３は、スロットマシン１に設けられている制御システムを説明するためのブロック図である。制御システムは、主として主制御基板３００、サブ制御基板４００、回胴装置基板４２０、中央表示制御基板４１０、電源装置基板４３０、外部集中端子基板４４０を備え、それぞれが配線ケーブルによって接続されている。  
主制御基板３００は、ＣＰＵ（Ｃｅｎｔｒａｌ  Ｐｒｏｃｅｓｓｉｎｇ  Ｕｎｉｔ）３０１、半導体メモリであるＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３等を備えている。
【００２９】
主制御基板３００のＣＰＵ３０１は、ＲＯＭ３０２に予め記憶されているシステムプログラムやスロットマシンゲーム用のプログラム等を読み込み、ゲームの進行に合わせて、サブ制御基板４００、回胴装置基板４２０、中央表示制御基板４１０、電源装置基板４３０等に対する分散制御を行う。
【００３０】
ここで、ＣＰＵ３０１による主な制御としては、メダルの投入（又はベットボタン７によるベット）とスタートレバー８の操作を条件として抽選を行い、その抽選結果が当選であり、かつ予め設定された有効ライン上にストップボタン９ａ、９ｂ、９ｃの操作でその当選した図柄が停止したことを条件として所定枚数のメダルが払い出されるように、電源装置基板４３０を介してホッパ装置６００を制御することである。
【００３１】
このとき、電源装置基板４３０からホッパ装置６００のホッパモータに電源装置５３０からの駆動電源が与えられ、回転ディスク６４０の回転により所定枚数のメダルが払い出される。また、ホッパ装置６００側に設けられている図示しないセンサによって払い出されたメダルの枚数が所定枚数に到達したことが検出されると、ホッパモータ駆動が停止されるとともに、電源装置基板４３０から主制御基板３００に対して払い出し完了を示す信号が送出される。これにより、主制御基板３００のＣＰＵ３０１は、メダルの払い出しが正常に行われたことを認識し、次のゲームの進行に合わせた制御に移ることができる。
【００３２】
また、ＣＰＵ３０１による主な制御としては、ゲームの進行に合わせ、内部抽選した役の情報をサブ制御基板４００へ供給し、その役に相当する演出を、上述した演出用ランプ１０４〜１０８、サイドランプ５ａ、５ｂ、スピーカ１３ａ、１４ａ、１０９ａ、１１０ａ、表示部１０１を介して行わせることである。照明演出装置１０１ａ、１０１ｂ、１０１ｃは、サブ制御基板４００から制御コマンドを受信する照明演出制御基板４５０により制御される。
【００３３】
また、ＣＰＵ３０１による主な制御としては、電源装置基板４３０に対し、所定枚数のメダルが払い出されるように指示を出してから、所定時間経過しても電源装置基板４３０からのメダルの払い出し完了を示す信号を受け取ることができなかった場合等において、通常のエラー処理を実行することである。すなわち、ホッパ装置６００側において、メダルがホッパ装置６００内に詰まるなどして、ホッパ装置６００側の図示しないセンサによるメダルの払出枚数の検知が所定枚数に到達しないことなどが所定時間続くと、電源装置基板４３０によるホッパモータの駆動が停止されるとともに、電源装置基板４３０から主制御基板３００にエラーが発生したことを示す信号が送出される。
【００３４】
この場合には、主制御基板３００のＣＰＵ３０１からサブ制御基板４００に通常のエラー処理を指示する信号が出力され、サブ制御基板４００により、例えば上述した照明演出装置１０１ａ、１０１ｂ、１０１ｃにエラー発生を示す内容が、例えばエラーコードとともに表示されたり、演出用ランプ１０４〜１０８によるエラーを示す点滅又は点灯が行われたり、放音部１０９、１１０からのエラーを示すエラー音の出力が行われたりする。
【００３５】
サブ制御基板４００には、演出用ランプ１０４〜１０８と、サイドランプ５ａ、５ｂと、スピーカ１３ａ、１４ａ、１０９ａ、１１０ａと、照明演出制御基板４５０とが接続されている。そして、サブ制御基板４００は、主制御基板３００のＣＰＵ３０１からのゲームの進行に合わせた制御に基づき、上述した演出用ランプ１０４〜１０８を点滅又は点灯させたり、サイドランプ５ａ、５ｂを点滅又は点灯させたり、スピーカ１３ａ、１４ａ、１０９ａ、１１０ａから効果音等を発生させたり、照明演出制御基板４５０を介して照明演出装置１０１ａ、１０１ｂ、１０１ｃでの所定の照明演出等の表示を行わせたりする。これにより、遊技者の視覚と聴覚に訴える演出を行うことができる。
【００３６】
回胴装置基板４２０には、上述したメインリール５２１、５２２、５２３を回転駆動するステッピングモータ５２１ｂ、５２２ｂ、５２３ｂと、メインリール５２１、５２２、５２３の各回転位置を検出する、例えばフォトセンサ５２１ａ、５２２ａ、５２３ａとが接続されている。
【００３７】
そして、回胴装置基板４２０は、フォトセンサ５２１ａ、５２２ａ、５２３ａからの検出信号と、ステッピングモータ５２１ｂ、５２２ｂ、５２３ｂへ出力した駆動パルス信号のパルス数との情報に基づいて、メインリール５２１、５２２、５２３の回転と制動、及び停止の制御を適切に行うようになっている。
【００３８】
また、回胴装置基板４２０は、上述したスタートレバー８、ストップボタン９ａ、９ｂ、９ｃ等の操作に伴って、主制御基板３００からメインリール５２１、５２２、５２３のそれぞれの回転又は停止させるべき旨の制御信号が供給されると、フォトセンサ５２１ａ、５２２ａ、５２３ａからの検出信号を取り込みながら、各メインリール５２１、５２２、５２３の回転位置を適切に把握しつつ、ステッピングモータ５２１ｂ、５２２ｂ、５２３ｂへの駆動パルス信号を制御して各メインリール５２１、５２２、５２３の回転動作を制御する。
【００３９】
中央表示制御基板４１０には、上述したベットボタン７、スタートレバー８及びストップボタン９ａ、９ｂ、９ｃが接続されている。中央表示制御基板４１０は、これらベットボタン７、スタートレバー８及びストップボタン９ａ、９ｂ、９ｃからの出力信号を主制御基板３００へ転送する中継基板として機能する。また、中央表示制御基板４１０は、セレクト機構５００に設けられている図示しない遊技メダル検出センサからの出力信号を主制御基板３００へ転送し、上述のメダル投入部６に投入されたメダル枚数を知らせるとともに、異物の投入や目詰まりの発生等を知らせる。
【００４０】
そして、主制御基板３００は、ベットボタン７又はセレクト機構５００のメダルセンサが動作し、当該ゲームへの賭け枚数を検知し、スタートレバー８がオン操作されると、リール回転開始の指示がなされたことを検知する。さらに、ストップボタン９ａ、９ｂ、９ｃが任意の順番でストップ操作されると、その順番でメインリール５２１、５２２、５２３を停止させるべき指示がなされたことを検知する。
【００４１】
電源装置基板４３０には、ホッパ装置６００と、駆動電力検知回路４３１と、電源装置５３０とが接続されている。電源装置基板４３０は、電源装置５３０で発生される各種電源電圧をホッパ装置６００等の各所に配電する配電回路が形成されており、かかる配電回路からスロットマシン１の動作に必要なシステム電源を供給する。また、電源装置基板４３０は、主制御基板３００からメダルの払い出しをすべき旨の指令を受けると、ホッパ装置６００を制御してメダルの払い出しを行わせる。
【００４２】
ここで、駆動電力検知回路４３１は、ホッパモータの停止時において、例えばホッパモータの所定の配線がショートされ、ホッパモータが強制的に駆動されたとき、ホッパモータへの駆動電流電圧を検知する。また、駆動電力検知回路４３１は、例えばホッパモータの所定の配線がショートされず、ホッパモータのモータ軸やメダルの払い出しを行う回転ディスクがセルや針金等の不正行為器具を用いて強制的に回転されることによって生じる誘導起電力を検知する。
【００４３】
外部集中端子基板４４０は、主制御基板３００から出力されるスロットマシン１の状態信号又はゲームの進行状況等を示す信号を、図示しないホールコンピュータへ送出するための端子基板である。
【００４４】
次に、図４ないし図６を参照して、本発明の一実施形態に係る照明演出装置と表示用基板の回路基板の構成を説明する。図４は本発明の一実施形態に係る表示用基板８００を備えた演出表示部１００の構造を説明するための分解斜視図であり、図５は図４に示す表示用基板８００の回路基板７４０の表面側を示す正面図であり、図６は図５に示す回路基板７４０の裏面側を示す正面図である。
【００４５】
図４において、フレーム７００は、外形が略矩形状に硬質プラスチックを成型して形成され、内部には３組の７セグメント型７０１、７０２、７０３の各セグメントが収容される７個の通孔７０１ａが穿設されている。このフレーム７００の背面側から、透明プラスチックで形成され、外側の６個のセグメントに対応する６個のレンズ７１１ｂ、７１２ｂ、７１３ｂが一体成型されたレンズ担体７１１、７１２、７１３と、それぞれこれらレンズ担体７１１、７１２、７１３の中央部に収容されるレンズ７１１ａ、７１２ａ、７１３ａがフレーム７００の各通孔７０１ａに嵌挿される。レンズ担体７１１、７１２、７１３及びレンズ７１１ａ、７１２ａ、７１３ａが嵌挿されたフレーム７００の背面側から、７セグメント型７２１、７２２、７２３の各セグメントを画定する隔壁７２１ａ、７２１ｂ、７２１ｃ、７２１ｄ等が形成された隔壁ユニット７２０が重合される。隔壁ユニット７２０は、遮光性の硬質プラスチックを成型して形成され、各隔壁７２１ａ、７２１ｂ、７２１ｃ、７２１ｄ等の壁面には、後述する光源から発せられる光を効率よく反射するように、例えば、鍍金加工等が施されている。
【００４６】
隔壁ユニット７２０の背面側には、例えば、薄いプラスチックフィルムに微細なエンボス加工等を施して形成された拡散シート７３１、７３２、７３３が嵌挿される。この拡散シート７３１、７３２、７３３は、背面側から照射される後述する点光源からの照射光を拡散して、拡散シート７３１、７３２、７３３の隔壁ユニット７２０側の面で面発光させる作用を有する。
【００４７】
表示用基板８００は、両面に導電層となる銅箔による回路パターンが形成された回路基板７４０に電子回路を構成する電子部品が面実装されて構成されている。図４に示す表示用基板８００の表面側中央部には、７セグメント型の各セグメントの略中央に対応する位置に、それぞれ光源となる発光素子である７個ずつ３組のカラーＬＥＤ７４１、７４２、７４３が配設されている。また、回路基板７４０の裏面側周縁部には、カラーＬＥＤ７４１、７４２、７４３に流れる電流を制御する電流制限抵抗器７４６ａ１、７４６ａ２、７４６ａ３、・・・（図６参照）が配設されている。この表示用基板８００は表示用基板ケース７５０に収容され、この表示用基板８００を収容した表示用基板ケース７５０が、拡散シート７３１、７３２、７３３の背面側から、フレーム７００に図示しないネジ等で固定される。
【００４８】
図４中符号４５０は上記したカラーＬＥＤ７４１、７４２、７４３の点灯、消灯、発光色等を制御するための照明演出制御基板を示し、この照明演出制御基板４５０は下ケース７６１と上ケース７６２との間に収容されて、図示しないネジ等で表示用基板ケース７５０の背面側に固定される。以上の手順により、演出表示部１００が構成される。なお、本実施形態においては、光源となる発光素子としてカラーＬＥＤを採用した例について説明したが、発光素子として、有機ＥＬ（ＥｌｅｃｔｒｏＬｕｍｉｎｅｓｃｅｎｃｅ）素子、冷陰極蛍光管、豆ランプ等の光源を使用してもよい。
【００４９】
図５において、回路基板７４０の表面側は、導電層である周縁部の銅箔パターン７４４と中央部の銅箔パターン７４５により略全面が覆われている。周縁部の銅箔パターン７４４は、接地電位に接続された面状のアースパターン７４４ａと、線状に形成された配線パターン７４４ｂを備えている。中央部の銅箔パターン７４５も、同様に、接地電位に接続された面状のアースパターン７４５ａと、線状に形成された配線パターン７４５ｂを備えている。このように面状のアースパターン７４４ａ、７４５ａを設けることにより、例えば、回路基板７４０に実装された発熱素子が発する熱が銅箔パターン７４４、７４５に伝達されても、面状のアースパターン７４４ａ、７４５ａがヒートシンクとして機能して伝達された熱を周囲へ放熱するので、熱による電子部品の性能劣化を防止することができる。さらに、周縁部の銅箔パターン７４４と中央部の銅箔パターン７４５とは、銅箔パターンの存在しない回路基板７４０の基材（紙フェノール、エポキシ樹脂等）と半田レジスト層の絶縁体からなる隔絶部７４８によって完全に隔絶されている。このように絶縁体からなる隔絶部７４８を設けることにより、例えば、回路基板７４０に実装された発熱素子が発する熱が周縁部の銅箔パターン７４４に伝達されても、中央部の銅箔パターン７４５には伝達され難い。
【００５０】
符号７４１ａ１、７４１ａ２、７４１ａ３、７４１ａ４、７４１ａ５、７４１ａ６及び７４１ａ７は、左側の７セグメント型に対応するカラーＬＥＤ７４１（図４参照）の端子が半田付け接続される電極を示す。同様に、符号７４２ａ１〜７４２ａ７は、真中の７セグメント型に対応するカラーＬＥＤ７４２の端子が半田付け接続される電極を示し、符号７４３ａ１〜７４３ａ７は、右側の７セグメント型に対応するカラーＬＥＤ７４３の端子が半田付け接続される電極を示す。
【００５１】
カラーＬＥＤ７４１、７４２、７４３が接続される各電極７４１ａ１〜７４１ａ７、７４２ａ１〜７４２ａ７、７４３ａ１〜７４３ａ７の周囲の回路基板７４０上には、白色の半田レジストにより、カラーＬＥＤ７４１、７４２、７４３から照射される照射光を反射する反射面７４１ｂ１〜７４１ｂ７、７４２ｂ１〜７４２ｂ７及び７４３ｂ１〜７４３ｂ７が形成されている。このようにカラーＬＥＤ７４１、７４２、７４３が配設される周囲の回路基板７４０上に反射面７４１ｂ１〜７４１ｂ７、７４２ｂ１〜７４２ｂ７及び７４３ｂ１〜７４３ｂ７を設けることにより、カラーＬＥＤ７４１、７４２、７４３から照射される照射光を効率よく利用することができる。なお、図５中符号７４１ｃは、表面側の回路パターンと裏面側の回路パターンとを接続するためのスルーホールを示す。
【００５２】
図６は、図５に示す回路基板７４０の裏面側を示す平面図であり、図５に示す表面側と同様に、略全面が銅箔パターン７４６で覆われている。裏面の銅箔パターン７４６も、接地電位に接続された面状のアースパターン７４６ａと、線状に形成された配線パターン７４６ｂを備えている。このアースパターン７４６ａも、図５に示す表面側のアースパターン７４４ａ、７４５ａと同様に、ヒートシンクとして機能して、伝達された熱を外部へ放熱する。
【００５３】
裏面側の図６中上部の周縁部と左右の周縁部には、回路基板７４０の表面側に実装されるカラーＬＥＤ７４１、７４２、７４３に流れる電流を制御する電流制限抵抗器７４６ａ１、７４６ａ２、７４６ａ３、・・・の端子が半田付け接続される電極７４６ｃが形成されている。なお、図６において電流制限抵抗器７４６ａ１等は一部（３個）のみ図示している。電流制限抵抗器７４６ａ１等はカラーＬＥＤ７４１、７４２、７４３の駆動に伴って発熱する発熱素子である。電流制限抵抗器７４６ａ１等としては、例えば、チップ型のセラミック抵抗器、炭素皮膜抵抗器、金属皮膜抵抗器等の抵抗器を使用することができる。本実施形態においては、発熱素子である電流制限抵抗器７４６ａ１等が配設される面をカラーＬＥＤ７４１、７４２、７４３が配設される表面側と反対側の裏面側とし、かつ、裏面側の周縁部に電流制限抵抗器７４６ａ１等を配設する構造としているので、電流制限抵抗器７４６ａ１等の発熱による熱が回路基板７４０厚さ方向に表面側に伝達しても、表面側周縁部に設けられた回路パターン７４４のアースパターン７４４ａのヒートシンク機能により、伝達された熱が外部へ放熱されやすい。さらに、表面側周縁部の回路パターン７４４と、カラーＬＥＤ７４１、７４２、７４３が実装される表面側中央部の回路パターン７４５とが、絶縁体からなる隔絶部７４８により完全に隔絶されているので、表面側周縁部の回路パターン７４４に伝達された熱は、表面側中央部の回路パターン７４５に伝達され難い。したがって、カラーＬＥＤ７４１、７４２、７４３の、電流制限抵抗器７４６ａ１等の発熱による性能劣化を防止することができ、長寿命な表示用基板８００を構成することができる。
【００５４】
以上説明したように本発明によれば、発光素子の、発熱素子の熱による性能劣化や寿命の短縮を防止し得る表示用基板及びその表示用基板を備えた遊技機を提供することができる。
【００５５】
なお、本発明は、例えば、モータドライバやスイッチングレギュレータ等、発熱しやすいパワー系のＩＣ等を実装した回路基板等にも適用することができる。
【図面の簡単な説明】
【００５６】
【図１】本発明の一実施形態に係る表示用基板を備えたスロットマシンの一例を示す正面図である。
【図２】図１のスロットマシンの内部構成を示す正面図である。
【図３】図１のスロットマシンに設けられている制御システムを説明するためのブロック図である。
【図４】本発明の一実施形態に係る照明演出装置の一例を分解して示す斜視図である。
【図５】本発明の一実施形態に係る回路基板の表面側に形成された回路パターンの一例を示す図である。
【図６】図５に示す回路基板の裏面側に形成された回路パターンの一例を示す図である。
【符号の説明】
【００５７】
１  スロットマシン
２  筐体
３  前扉
５ａ、５ｂ  サイドランプ
６  メダル投入部
７  ベットボタン
８  スタートレバー
９ａ、９ｂ、９ｃ  ストップボタン
１１  受皿ユニット
１２  メダル排出口
１３、１４    演出効果音部
１３ａ、１４ａ  スピーカ
１００  演出表示部
１０１ａ、１０１ｂ、１０１ｃ  照明演出装置
１０２  表示パネル
１０４〜１０８  演出用ランプ
１０９、１１０  放音部
１０９ａ、１１０ａ  スピーカ
２００  メイン演出部
３００  主制御基板
３０１  ＣＰＵ
４００  サブ制御基板
４１０  中央表示制御基板
４２０  回胴装置基板
４３０  電源装置基板
４３１  駆動電力検知回路
４４０  外部集中端子基板
４５０  照明演出制御基板
５００  セレクト機構
５２０  回胴装置
５２１、５２２、５２３  メインリール
５３０  電源装置
５４０  補助貯留部
６００  ホッパ装置
７００  フレーム
７０１、７０２、７０３  ７セグメント型
７０１ａ  通孔
７１１、７１２、７１３  レンズ担体
７１１ａ、７１１ｂ、７１２ａ、７１２ｂ、７１３ａ、７１３ｂ  レンズ
７２０  隔壁ユニット
７２１、７２２、７２３  ７セグメント型
７２１ａ、７２１ｂ、７２１ｃ、７２１ｄ  隔壁
７３１、７３２、７３３  拡散シート
７４０  回路基板
７４１、７４２、７４３  カラーＬＥＤ（発光素子）
７４１ａ１〜７４１ａ７、７４２ａ１〜７４２ａ７、７４３ａ１〜７４３ａ７  電極
７４１ｂ１〜７４１ｂ７、７４２ｂ１〜７４２ｂ７及び７４３ｂ１〜７４３ｂ７  反射面
７４１ｃ、７４１ｄ  スルーホール
７４４  周縁部の銅箔パターン
７４４ａ  アースパターン
７４４ｂ  配線パターン
７４５  中央部の銅箔パターン
７４５ａ  アースパターン
７４５ｂ  配線パターン
７４６  裏面側の銅箔パターン
７４６ａ  アースパターン
７４６ａ１、７４６ａ２、７４６ａ３  電流制限抵抗器（発熱素子）
７４６ｂ  配線パターン
７４６ｃ  電極
７４８  隔絶部
７５０  表示用基板ケース
７６１  下ケース
７６２  上ケース
８００  表示用基板
【図１】
0005263809.tif 000002
【図２】
0005263809.tif 000003
【図３】
0005263809.tif 000004
【図４】
0005263809.tif 000005
【図５】
0005263809.tif 000006
【図６】
0005263809.tif 000007